(57)【要約】      （修正有）【課題】見た目が美しく豪華であり、また、金銭の出し入れが容易であるのし袋を提供する。【解決手段】表紙と裏紙４との間に収容空間が設けられた袋状部を備え、袋状部の表面に装飾部５が設けられたのし袋１であって、袋状部において、その裏紙４に、その側辺に沿って収容空間と外部との間を連通する開口部４ｈが形成されている。側方の開口部４ｈから袋状の収容空間内に祝金等を入れることができるので、祝儀や香典を簡単に用意することができる。しかも、開口部４ｈが袋状部の側方裏面側に形成されているから、人に手渡すとき等に開口部４ｈが人の目に付きにくく、のし袋１の外観から人が受ける印象が低下することを防ぐ。【選択図】図１
0003106393.tif 000002
【実用新案登録請求の範囲】
【請求項１】
表紙と裏紙との間に収容空間が設けられた袋状部を備え、該袋状部の表面に装飾部が設けられたのし袋であって、
該袋状部において、その裏紙に、その側辺に沿って前記収容空間と外部との間を連通する開口部が形成されている
ことを特徴とするのし袋。
【請求項２】
前記装飾部が、前記袋状部の表面に互いに重なるように取り付けられたカバーシートと装飾用シートを備えており、
該装飾部のカバーシートの幅が、前記袋状部の幅よりも狭くなるように形成されており、
該カバーシートと前記袋状部の表面との間に配置された前記装飾用シートが、その一部が、前記カバーシートの側辺と前記袋状部の側辺との間から視認し得る位置に配置されている
ことを特徴とする請求項１記載ののし袋。
【請求項３】
一枚の展開シートを折り畳んで形成されており、
該展開シートが、
前記袋状部の裏紙となる裏紙形成部と、
該裏紙形成部と同一形状を有し、上辺が、該裏紙形成部の下辺と連続するように形成された表紙形成部と、
前記裏紙形成部の上辺と連続するように形成され、前記表紙形成部と前記裏紙形成部とが重なるように折り曲げた状態で、該裏紙形成部の上辺と前記表紙形成部の下辺との間を連結する上方連結部材と、
前記裏紙形成部の両側辺と連続するように形成され、前記表紙形成部と前記裏紙形成部とが重なるように折り曲げた状態で、該裏紙形成部の側辺と前記表紙形成部の側辺との間を連結する一対の側方連結部材とを備えており、
該一対の側方連結部材のうち、一方の側方連結部材が、その幅方向の長さが前記裏紙形成部の幅よりも短くなるように形成されており、
該一方の側方連結部材と前記裏紙形成部との連結部分に、該裏紙形成部の側辺に沿って切欠き部が形成されており、
上辺が前記一方の側方連結部材の下辺と連続し、一方の側辺が前記表紙形成部の一方の側辺と連続するように形成された装飾形成部が設けられており、
該装飾形成部において、前記表紙形成部と前記裏紙形成部とが重なるように折り曲げたときに、前記一方の連結部材と対向する面の両側辺に沿って一対の前記装飾用シートが取り付けられており、
該一対の装飾用シートのうち、一方の装飾用シートが、前記表紙形成部と前記裏紙形成部とが重なるように折り曲げたときに、前記切欠き部に配置されるように取り付けられている
ことを特徴とする請求項２記載ののし袋。
【請求項４】
前記展開シートが、前記裏紙形成部と前記一方の側方連結部材との間に補強シートを備えており、
該補強シートが、
その一方の側辺が前記裏紙形成部の側辺と連続し、該裏紙形成部と重なるように折り曲げると、該裏紙形成部と前記一方の側方連結部材との間に前記切り欠き部が形成されるようにように設けられている
ことを特徴とする請求項３記載ののし袋。
【考案の詳細な説明】
【技術分野】
【０００１】
本考案は、のし袋に関する。
【背景技術】
【０００２】
慶弔時において、祝儀や香典をのし袋に入れて送ることが行われており、のし袋には、通常、多とう紙に水引を付けたものが使用されている。
しかし、従来ののし袋は、慶事と弔事では多とう紙の折り方が異なることや、水引を一旦外してから金銭を入れ、再び水引をつける等の取り扱いが面倒であった。
【０００３】
近年、従来からののし袋に代えて、金銭の出し入れを容易にするために、一般的な封筒に水引の模様をつけたものや、水引の一部をゴムで形成して水引の着脱を容易にしたものが開発されている（例えば、特許文献１，２）。
【０００４】
しかるに、封筒に水引の模様をつけただけののし袋は、あまりにも見た目が単純であり、お見舞いや入学祝等であれば使用できても結婚式等の祝い事では使用しづらいという印象がある。
また、水引の一部をゴムにすれば、従来の水引よりは着脱が容易であるものの、やはり、水引を着脱しなければならない。
【０００５】
【特許文献１】特開平７−６９３７１号
【特許文献２】実用新案登録第３０３４１５４号
【考案の開示】
【考案が解決しようとする課題】
【０００６】
本考案は上記事情に鑑み、見た目が美しく豪華であり、また、金銭の出し入れが容易であるのし袋を提供することを目的とする。
【課題を解決するための手段】
【０００７】
第１考案ののし袋は、表紙と裏紙との間に収容空間が設けられた袋状部を備え、該袋状部の表面に装飾部が設けられたのし袋であって、該袋状部において、その裏紙に、その側辺に沿って前記収容空間と外部との間を連通する開口部が形成されていることを特徴とする。
第２考案ののし袋は、第１考案において、前記装飾部が、前記袋状部の表面に互いに重なるように取り付けられたカバーシートと装飾用シートを備えており、該装飾部のカバーシートの幅が、前記袋状部の幅よりも狭くなるように形成されており、該カバーシートと前記袋状部の表面との間に配置された前記装飾用シートが、その一部が、前記カバーシートの側辺と前記袋状部の側辺との間から視認し得る位置に配置されていることを特徴とする。
第３考案ののし袋は、第２考案において、一枚の展開シートを折り畳んで形成されており、該展開シートが、前記袋状部の裏紙となる裏紙形成部と、該裏紙形成部と同一形状を有し、上辺が、該裏紙形成部の下辺と連続するように形成された表紙形成部と、前記裏紙形成部の上辺と連続するように形成され、前記表紙形成部と前記裏紙形成部とが重なるように折り曲げた状態で、該裏紙形成部の上辺と前記表紙形成部の下辺との間を連結する上方連結部材と、前記裏紙形成部の両側辺と連続するように形成され、前記表紙形成部と前記裏紙形成部とが重なるように折り曲げた状態で、該裏紙形成部の側辺と前記表紙形成部の側辺との間を連結する一対の側方連結部材とを備えており、該一対の側方連結部材のうち、一方の側方連結部材が、その幅方向の長さが前記裏紙形成部の幅よりも短くなるように形成されており、該一方の側方連結部材と前記裏紙形成部との連結部分に、該裏紙形成部の側辺に沿って切欠き部が形成されており、上辺が前記一方の側方連結部材の下辺と連続し、一方の側辺が前記表紙形成部の一方の側辺と連続するように形成された装飾形成部が設けられており、該装飾形成部において、前記表紙形成部と前記裏紙形成部とが重なるように折り曲げたときに、前記一方の連結部材と対向する面の両側辺に沿って一対の前記装飾用シートが取り付けられており、該一対の装飾用シートのうち、一方の装飾用シートが、前記表紙形成部と前記裏紙形成部とが重なるように折り曲げたときに、前記切欠き部に配置されるように取り付けられていることを特徴とする。
第４考案ののし袋は、第３考案において、前記展開シートが、前記裏紙形成部と前記一方の側方連結部材との間に補強シートを備えており、該補強シートが、その一方の側辺が前記裏紙形成部の側辺と連続し、該裏紙形成部と重なるように折り曲げると、該裏紙形成部と前記一方の側方連結部材との間に前記切り欠き部が形成されるようにように設けられていることを特徴とする。
【考案の効果】
【０００８】
第１考案によれば、側方の開口部から袋状の収容空間内に祝金等を入れることができるので、祝儀や香典を簡単に用意することができる。しかも、開口部が袋状部の側方裏面側に形成されているから、人に手渡すとき等に開口部が人の目に付きにくく、のし袋の外観から人が受ける印象が低下することを防ぐことができる。
第２考案によれば、袋状部の表面にカバーシートと装飾用シートが重なっているので、のし袋の厚みを増加させることができ、持ったときに高級感を感じさせることができる。しかも、装飾用シートがカバーシートの側方端部と前記袋状部の側方端部との間から視認し得るから、斬新な印象を与えることができる。
第３考案によれば、表紙形成部と裏紙形成部とが重なるように折り曲げて、上方連結部材および一対の側方連結部材によって表紙形成部と裏紙形成部を連結すれば、表紙形成部と裏紙形成部との間に空間を有する袋状部を形成することができる。しかも、一方の側方連結部材の幅方向の長さが裏紙形成部の幅よりも短くなるように形成されているから、この一方の側方連結部をカバーシートとすることができる。そして、一方の側方連結部材と裏紙形成部との連結部分に形成されている切欠き部によって、袋状部の開口部を形成することができる。よって、一枚の展開シートを折り曲げて、重なり合っている紙同士を張り合わせるだけで袋状部、および装飾形成部を形成することができるから、作業工数を少なくすることができる。また、装飾形成部に装飾用シートを貼付けておくだけで、簡単に装飾形成部を形成することができるから、作業工数を少なくすることができる。さらに、複数枚の紙を重ねて貼り合わせて形成する場合に比べて、製造は容易になるし、また、紙の張り合わせがないので、見た目も美しくなり、好適である。
第４考案によれば、補強シートを折り曲げて裏紙形成部に貼付ければ、開口部を補強シートによって補強することができ、開口部から祝金等を入れるときに開口部が破れたりすることを防ぐことができる。
【考案を実施するための最良の形態】
【０００９】
つぎに、本考案の実施形態を図面に基づき説明する。
図１は本実施形態ののし袋１の概略説明図である。図２は本実施形態ののし袋１の概略説明図であって、（Ａ）は正面図であり、（Ｂ）は背面図である。同図に示すように、本実施形態ののし袋１は、水引を備えていないのし袋である。
図１および図２において符号２は、本実施形態ののし袋の袋状部を示している。この袋状部２は、表紙３と裏紙４とから形成されており、両者の間に、祝金を入れた袋Ｆ等が収容できる収容空間が形成されている。この袋状部２の裏紙４には、その側辺に沿って開口部４ｈが形成されており、この開口部４ｈによって収容空間と外部との間が連通されている。
【００１０】
このため、本実施形態ののし袋１は、側方の開口部４ｈから袋状の収容空間内に祝金等を入れることができるので、祝儀や香典を簡単に用意することができる。しかも、開口部４ｈは袋状部２の側方裏面側に形成されているから、本実施形態ののし袋１を人に手渡すとき等に、開口部４ｈは人の目に付きにくい。よって、袋状部２に開口部４ｈを設けても、のし袋１を人に渡したときに、その外観から人が受ける印象が低下することを防ぐことができる。
【００１１】
また、図１に示すように、袋状部２の表紙３の表面には、装飾部５が設けられている。この装飾部５は、表紙３の表面に重ねられている厚みシート６と、厚みシート６の表面に取り付けられている装飾用シート７と、厚みシート６および装飾用シート７を覆うように設けられているカバーシート８とから構成されている。装飾用シート７は、種々の色彩や模様を有するシートである。
このため、装飾部５が設けられているのし袋１を持つと、袋状部２の厚みだけでなく、袋状部２の表面に設けられている装飾部５の厚みも感じることになる。そして、装飾部５は、厚みシート６と、カバーシート８、装飾用シート７が重なっているため重厚感を感じさせることができる。よって、装飾部５を設けたことによって、のし袋１全体が重厚感を感じさせるので、のし袋１を持った人に高級感を感じさせることができる。
【００１２】
さらに、カバーシート８は、その幅が袋状部２の幅よりも狭くなるように形成されており、しかも、その両側辺が袋状部２の両側辺よりも内方に位置するように配置されている。そして、袋状部２の表面とカバーシート８との間に配置されている装飾用シート７は、その一部が、カバーシート８の側辺と袋状部２の側辺との間から視認し得る位置に配置されているから、のし袋１の外観を、一般的なのし袋に比べて、非常に斬新な印象を与えることができる。とくに、図２（Ａ）において、左側の装飾用シート７を、その側辺が袋状部２の側辺に対して傾斜するように配置すれば、のし袋１の外観を、より一層特徴的なものとすることができる。
【００１３】
前記のし袋１は、複数枚の紙を重ねて貼り合わせて形成してもよいが、一枚のシートによって形成すれば、製造は容易になり、また、紙の張り合わせが目に付かないので、見た目も美しくなり、好適である。
そこで、以下には、一枚の展開シート１０から本実施形態ののし袋１を形成する方法を説明する。
【００１４】
図３は本実施形態ののし袋１を展開した展開シート１０の概略裏面図である。図４は本実施形態ののし袋１を展開した展開シート１０の概略表面図である。まず、展開シート１０を説明する。なお、この展開シート１０は、プレス等によって一枚の紙から打ち抜き加工によって形成しても良いし、切り抜いてもよい。また、各部の間に折り曲げがし易いように、エンボス加工をしておくと製造が容易になる。
図３および図４において、符号１１は、展開シート１０からのし袋１を形成したときに袋状部２の裏紙４となる裏紙形成部を示している。この裏紙形成部１１は、長方形に形成されており、通常ののし袋とほぼ同じ大きさとなるように形成されている。この裏紙形成部１１の上辺11bには、裏紙形成部１１と上辺11bにおいて連続するように上方連結部材１３が設けられている。
また、符号１２は、展開シート１０からのし袋１を形成したときに袋状部２の表紙３となる表紙形成部を示している。この表紙形成部１２は、前記裏紙形成部１１と同一形状に形成されており、その上辺12aが前記裏紙形成部１１の下辺11aと連続するように形成されている。
【００１５】
前記裏紙形成部１１の両側方には、一対の側方連結部材１４，１５が設けられている。この一対の側方連結部材１４，１５は、それぞれの裏紙形成部１１の側辺と連続するように設けられている。この一対の側方連結部材１４，１５のうち、図３における右方の側方連結部材１４（図４では左方、以下、単に右方の側方連結部材１４という）は、その幅Ｗ２が前記裏紙形成部１１の幅Ｗ１よりも短くなるように形成されている。また、この右方の側方連結部材１４と裏紙形成部１１との間には、裏紙形成部１１の側辺に沿って、展開シート１０を表裏を貫通する貫通孔である切欠き部10hが形成されている。この切り欠き部10hは、裏紙形成部１１と側方連結部材１４に跨るように形成されている。
【００１６】
また、図３および図４に示すように、表紙形成部１２の両側辺と一対の側方連結部材１４，１５の下辺との間には、それぞれ装飾形成部１６，１７が設けられている。
この一対の装飾形成部１６，１７のうち、図３における右方の装飾形成部１６（図４では左方、以下、単に右方の装飾形成部１６という）は、その幅が右方の側方連結部材１４の同じ幅となるように形成されている。
図３および図４に示すように、右方の装飾形成部１６の裏面には、その側辺に沿って、装飾用シート７が取り付けられている（図３参照）。この装飾用シート７のうち装飾形成部１６の右側側辺に設けられている装飾用シート７は、その右側辺が装飾形成部１６の右端からはみ出すように取り付けられている。
【００１７】
つぎに、上記のごとき展開シート１０から本実施形態ののし袋１を形成する方法を説明する。
まず、表紙形成部１２を、その上辺12aを折り目として、その下辺12bが裏紙形成部１１の上辺11bと重なるように折り畳む。ついで、上方連結部材１３を前記表紙形成部１２に重なるように、前記裏紙形成部１１の上辺との間で折り曲げて、表紙形成部１２に貼付ければ、裏紙形成部１１と表紙形成部１２が連結される。
また、表紙形成部１２が裏紙形成部１１に重なるように展開シート１０を折り畳むと、一対の装飾形成部１６，１７も一対の側方連結部材１４，１５と重なりあうようになる（図４（Ａ））。すると、装飾形成部１６の左側側辺に取り付けられている装飾用シート７は、展開シート１０の切欠き部10hに配置され、図示しないが折り畳まれた展開シート１０の表面から視認できるようになる。
【００１８】
つぎに、一対の側方連結部材１４，１５に重ねられている前記装飾形成部１６，１７の表面が、前記表紙形成部１２に重なるように折り曲げる。すると、表紙形成部１２と裏紙形成部１１の側辺同士が重なった状態で、その側辺を折り目として展開シート１０が折り曲げられるから、表紙形成部１２と裏紙形成部１１の側辺同士が分離できない状態で維持される。言い換えれば、表紙形成部１２と裏紙形成部１１の側辺同士が略連結される。このため、表紙形成部１２と裏紙形成部１１は対応する４辺が連結された状態となるので、両者の間によって袋状部２が形成され、両者の間に収容空間を形成することができる。
ここで、展開シート１０の裏紙形成部１１には、右方の側方連結部材１４と裏紙形成部１１との間に、その側辺に沿って、展開シート１０を表裏を貫通する貫通孔である切欠き部10hが形成されているから、この切り欠き部10hによって、収容空間と外部が連通される。つまり、袋状部２の開口部４ｈが、切り欠き部10hによって、その側辺に沿って形成されるのである。
なお、切り欠き部10hを、一側辺が裏紙形成部１１に連結され、他の部分が展開シート１０から切り離されている補強シート10aを折り曲げて形成するようにしておけば、補強シート10aを裏紙形成部１１に側辺に貼付けると、開口部４ｈを補強できるので好適である。
【００１９】
ついで、側方連結部材１５、側方連結部材１４の順に表紙形成部１２の表面に重ねて貼付ければ、側方連結部材１４，１５と装飾形成部１６，１７が全て表紙形成部１２の表面の表面に重ねられて、装飾部５が形成される。
このとき、側方連結部材１５と装飾形成部１６，１７が厚みシート６となり、側方連結部材１４がカバーシート８となる。そして、装飾形成部１６に貼付けられている装飾用シート７のうち、図３において装飾形成部１６の左側辺に取り付けられていた装飾用シート７は、カバーシート８の右側辺と袋状部２の右側辺との間に配置され（図２参照）、図３において装飾形成部１６の右側辺に取り付けられていた装飾用シート７は、カバーシート８の左側辺と袋状部２の左側辺との間に配置されるから（図２参照）、その一部をカバーシート８の側辺と袋状部２の側辺との間から視認でき、のし袋１の外観を、一般的なのし袋に比べて、非常に斬新な印象を与えることができるのである。
【図面の簡単な説明】
【００２０】
【図１】本実施形態ののし袋１の概略説明図である。
【図２】本実施形態ののし袋１の概略説明図であって、（Ａ）は正面図であり、（Ｂ）は背面図である。
【図３】本実施形態ののし袋１を展開した展開シート１０の概略裏面図である。
【図４】本実施形態ののし袋１を展開した展開シート１０の概略表面図である。
【図５】（Ａ）は、展開シート１０の表紙形成部１２を裏紙形成部１３に重ねた状態の説明図であり、（Ｂ）は、他方の側方連結部材１５を表紙形成部１２の表面に重ねた状態の説明図である。
【符号の説明】
【００２１】
１        のし袋
２        袋状部
３        表紙
４        裏紙
４ｈ      開口部
５        装飾部
７        装飾用シート
８        カバーシート
１０        展開シート
１０ａ      補強シート
１０ｈ      切り欠き部
１１        裏紙形成部
１２        表紙形成部
１３        上方連結部材
１４        側方連結部材
１５        側方連結部材
１６        装飾形成部
１７        装飾形成部
【図１】
0003106393.tif 000003
【図２】
0003106393.tif 000004
【図３】
0003106393.tif 000005
【図４】
0003106393.tif 000006
【図５】
0003106393.tif 000007